(57)【要約】【課題】何らかの原因によりチューナの同調ズレが発生し、入力される映像信号にリップルと呼ばれるノイズが混入した場合には、リップル成分によりクロックランイン検出電圧を誤って設定する場合がある。誤って、クロックランイン検出電圧が設定されると、入力される映像信号をスライスすることが出来ないと言った問題点があった。【解決手段】入力信号とレベル判別基準信号を比較するコンパレータ（４０）と、該コンパレータの出力信号に応じて、前記レベル判別基準信号のレベルを増加又は減少させ、前記レベル判別基準信号のレベルを前記入力信号に追従させる制御回路（２０）とを備え、ある一定期間内、前記制御回路（２０）は前記レベル判別基準信号を低いレベルから高いレベル又は高いレベルから低いレベルへ変化させて入力信号の直前の直流レベルのピーク電圧よりも高くする。【選択図】図１
2005278166.tif 000002
【特許請求の範囲】
【請求項１】
カラーバースト信号及びその後の直流レベルに続き、データの有無を示すパルス信号が発生する入力信号に対して、前記パルス信号のレベル判別基準信号を作成するレベル比較器であって、
前記入力信号と前記レベル判別基準信号を比較するコンパレータと、該コンパレータの出力信号に応じて、前記レベル判別基準信号のレベルを増加又は減少させ、前記レベル判別基準信号のレベルを前記入力信号に追従させる制御回路とを備え、
所定のスライスレベル測定期間において、前記制御回路が前記レベル判別基準信号を低いレベルから高いレベルへ変化させ前記直流レベルのピーク電圧より高く設定することを特徴とするレベル比較器。
【請求項２】
カラーバースト信号及びその後の直流レベルに続き、データの有無を示すパルス信号が発生する入力信号に対して、前記パルス信号のレベル判別基準信号を作成するレベル比較器であって、
前記入力信号と前記レベル判別基準信号を比較するコンパレータと、該コンパレータの出力信号に応じて、前記レベル判別基準信号のレベルを増加又は減少させ、前記レベル判別基準信号のレベルを前記入力信号に追従させる制御回路とを備え、
所定のスライスレベル測定期間において、前記制御回路が前記レベル判別基準信号を高いレベルから低いレベルへ変化させ前記直流レベルのピーク電圧より高く設定することを特徴とするレベル比較器。
【請求項３】
前記コンパレータによる前記入力信号と前記レベル判別基準信号との比較の開始タイミングを、前記直流レベルの期間内とする、請求項１又は２記載のレベル比較器。
【請求項４】
前記コンパレータによる前記入力信号と前記レベル判別基準信号との比較の開始タイミングを、前記カラーバースト信号の入力期間内とする、請求項１または２記載のレベル比較器。
【請求項５】
前記パルス信号が前記直流レベルより高いレベルにある場合、
前記制御回路は前記レベル判別基準信号を低いレベルから高いレベルへ操作することを特徴とする請求項１記載のレベル比較器。
【請求項６】
前記パルス信号が前記直流レベルより低いレベルにある場合、
前記制御回路は前記レベル判別基準信号を高いレベルから低いレベルへ操作することを特徴とする請求項２記載のレベル比較器。
【請求項７】
前記直流レベルには、レベルが概ね均一なノイズが含まれることを特徴とする請求項３記載のレベル比較器。
【請求項８】
前記レベル判別基準信号の初期値は前記直流レベルより十分に小さいとすることを特徴とする請求項５記載のレベル比較器。
【請求項９】
前記レベル判別基準信号の初期値は前記直流レベルより十分に大きいとすることを特徴とする請求項６記載のレベル比較器。
【請求項１０】
スライスレベルに続き、クロックランイン信号が発生する映像信号に対して、前記スライスレベルに基づき、前記クロックランイン信号のレベル判別基準信号を作成するレベル比較器であって、
前記映像信号と前記レベル判別基準信号を比較するコンパレータと、
該コンパレータの出力信号に応じて、前記レベル判別基準信号のレベルを増加又は減少させ、前記レベル判別基準信号のレベルを前記入力信号に追従させる制御回路とを備え、
スライスレベルの測定期間内、前記制御回路は前記レベル判別基準信号を低いレベルから高いレベル又は高いレベルから低いレベルへ、いずれかの変化のみで動作させることを特徴とするレベル比較器。
【発明の詳細な説明】
【技術分野】
【０００１】
本発明は、レベル比較器に関し、より詳細には例えばヨーロッパ地域のＴＶ放送にて以前より採用されているＶＴＲの自動録画調整、放送局の認識等を可能とする、ＶＰＳ（Ｖｉｄｅｏ  Ｐｒｏｇｒａｍ  Ｓｙｓｔｅｍ）やＰＤＣ（Ｐｒｏｇｒａｍ  Ｄｅｌｉｖｅｒｙ  Ｃｏｎｔｒｏｌ）等のデータが垂直帰線期間に重畳された入力信号を基準電圧とレベル比較することによって、特に垂直帰線期間に重畳された放送信号の中から前記ＶＰＳあるいは前記ＰＤＣ等のデータ信号を抜き取る際に好適に用いられるレベル比較器に関する。
【背景技術】
【０００２】
テレビ受像器で受信するための映像信号に文字等を示すデータを重畳する方式として、例えば欧州で行われているテレテキスト方式がある。このテレテキスト方式は、映像信号における垂直ブランキング期間に文字等を示すデータを重畳して送信する技術である。テレビ受像器で文字等を確認するには、送信されてくる映像信号から該信号に重畳された文字等のデータを分離する回路が必要であり、この重畳された文字等のデータを映像信号から分離する際に用いられるのがレベル比較器である。テレテキスト方式では、データの有無を示すクロックランイン信号（パルス信号）を持っており、レベル比較器は、あらかじめ定められたクロックランイン信号の振幅の中点をスライスレベルとし、当該スライスレベルを基準とすることにより映像信号から文字等のデータを分離するものである。
【０００３】
ところがこれらの映像信号において、テレビ受像器によるチューニングずれや受信状況の変化があった場合、クロックランイン信号の波形が変化する場合がある。このような場合、レベル比較器は、クロックランイン信号の波形の歪みや振幅の変化によってスライスレベルがクロックランイン信号の振幅の中点でなくなるため、文字等のデータを映像信号から正確に分離できなくなる。そこでクロックランイン信号の波形が変化した場合においてもスライスレベルを正確に決定し、データを読み出すことのできるレベル比較器が特許文献１に提案されている。
【０００４】
また、近年、図２に示すブロック図の様に、Ｄ／Ａコンバータを使ったレベル比較器も提案されている。図２のレベル比較器では、タイミング発生回路１０、制御回路２０、Ｄ／Ａコンバータ（変換回路）３０、およびコンパレータ（比較回路）４０を備えている。
【０００５】
前記タイミング発生回路１０は、映像信号に含まれる所定の垂直同期信号ＶＳｙｎｃおよび水平同期信号ＨＳｙｎｃから、制御回路２０を動作可能とするためのＤ／Ａ制御許可信号を生成する（“ＬＯＷ”から“ＨＩＧＨ”となる）。Ｄ／Ａ制御許可信号が生成されることによって制御回路２０は動作可能（Ｄ／Ａ制御可能）となる。なおタイミング発生回路１０はタイマー７０を有しており、Ｄ／Ａ制御許可信号が“ＬＯＷ”から“ＨＩＧＨ”となるタイミングは、タイマー７０によって調整される。
【０００６】
前記制御回路２０は、Ｄ／Ａ制御可能である期間（Ｄ／Ａ制御許可信号が“ＨＩＧＨ”）において、コンパレータ４０の出力値（ＣＭＰ出力）のサンプリングを行い、一定の値の差をもって増加または減少するデジタル信号をＤ／Ａコンバータ３０に出力する。このサンプリングの周波数は入力されるクロックの数倍（例えば４倍）となるように設定される。
【０００７】
Ｄ／Ａコンバータ３０を使ったレベル比較器では、Ｄ／Ａコンバータ３０に設定されたデジタル値に応じて、スライスレベルとなるアナログ信号を作成し、作成されたスライスレベルを用いて、送信されてくる映像信号との比較を行っている。
【０００８】
Ｄ／Ａコンバータ３０に設定されるデジタル値は、微調整が可能であり、クロックランイン信号に何らかの原因でチューニングがずれた場合には、デジタル値を増減させることで、映像信号に含まれるクロックランイン信号を正確に分離できるといったメリットがある。
【０００９】
しかし、デジタル値を増減するには、クロックランイン信号と、スライスレベルの比較結果を、クロックランイン信号の周波数の整数倍クロックでサインプリングし、クロックランイン信号が大きければ、スライスレベルを増加させ、逆に、クロックランイン信号が小さければ、スライスレベルを減少させる処理を行っている。
【特許文献１】特開平１１−４１５５２号公報
【発明の開示】
【発明が解決しようとする課題】
【００１０】
特許文献１のレベル比較器では、クロックランイン信号の上側ピーク値と下側ピーク値を検出するためにピークホールド回路が２つ必要である。
【００１１】
各ピークホールド回路は面積の大きいオペアンプ、キャパシタ、抵抗を含むため回路が大きくなり、集積化した場合にはチップ面積が大きくなり、製造コストも増加するという問題点があった。
【００１２】
また、従来技術で示したＤ／Ａコンバータを使ったレベル比較器では、クロックランイン検出開始電圧を設定する際に、何らかの原因によりチューナの同調ズレが発生し、入力される映像信号にリップルと呼ばれるノイズが混入する場合がある。
【００１３】
この場合、リップル成分が混入した期間に、誤ったクロックランイン検出電圧を設定しまうことがあり、クロックランイン信号を上手くスライスすることが出来ないといった問題点があった。
【００１４】
本発明は、ピークホールド回路を用いることなくクロックランイン信号の振幅の中点レベルを検出することができ、その結果回路を小さくでき、集積化した場合にチップ面積を小さくすることができるレベル比較器を提供することを目的とする。
【００１５】
また本発明は、入力信号が歪んだ場合でも、重畳されたデータを確実に読み出すことができるレベル比較器を提供することをも目的とする。
【課題を解決するための手段】
【００１６】
本発明に係る第１のレベル比較器は、カラーバースト信号及びその後の直流レベルに続き、データの有無を示すパルス信号が発生する入力信号に対して、前記パルス信号のレベル判別基準信号を作成するレベル比較器であって、
前記入力信号と前記レベル判別基準信号を比較するコンパレータと、該コンパレータの出力信号に応じて、前記レベル判別基準信号のレベルを増加又は減少させ、前記レベル判別基準信号のレベルを前記入力信号に追従させる制御回路とを備え、
所定のスライスレベル測定期間において、前記制御回路が前記レベル判別基準信号を低いレベルから高いレベルへ変化させ前記直流レベルのピーク電圧より高く設定することを特徴とするものである。
【００１７】
本発明に係る第２のレベル比較器は、カラーバースト信号及びその後の直流レベルに続き、データの有無を示すパルス信号が発生する入力信号に対して、前記パルス信号のレベル判別基準信号を作成するレベル比較器であって、
前記入力信号と前記レベル判別基準信号を比較するコンパレータと、該コンパレータの出力信号に応じて、前記レベル判別基準信号のレベルを増加又は減少させ、前記レベル判別基準信号のレベルを前記入力信号に追従させる制御回路とを備え、
所定のスライスレベル測定期間において、前記制御回路が前記レベル判別基準信号を高いレベルから低いレベルへ変化させ前記直流レベルのピーク電圧より高く設定することを特徴とするものである。
【００１８】
上記両レベル比較器において、前記スライスレベル測定期間の開始タイミングは、前記直流レベルあるいは前記カラーバースト信号の入力期間内とすることが出来る。
【００１９】
また、本発明の他の特徴は、添付図面及び本明細書の記載により明らかとなる。
【発明の効果】
【００２０】
本発明によれば、コンパレータの出力信号に応じて、レベル判別基準信号を入力信号に追従させて変化させる制御回路を備える。
【００２１】
制御回路は、パルス信号（クロックランイン信号）の判別基準となるレベル判別基準信号を低いレベルから高いレベル又は高いレベルから低いレベルへ変化させることにより、レベル判別基準信号を直流レベルのピーク電圧よりも高く設定することができる。
【００２２】
前記スライスレベル測定期間の開始タイミングを直流レベル入力期間とした場合、パルス信号（クロックランイン信号）直前の直流レベル期間（ノイズを含む）では、制御回路による入力信号の追従動作を停止させ、レベル判別基準信号を前述のいずれか一方向に変化させる。
【００２３】
これにより、前記直流レベル期間におけるノイズの上端又は下端のレベルを捕えることが出来、パルス信号（クロックランイン信号）の判別レベルを正確に作成出来る。
【００２４】
従って、入力される映像信号にリップル成分（ノイズ）がある場合でも、クロックランイン検出開始電圧を最適に設定できるといった利点があげられる。
【００２５】
一方、前記スライスレベル測定期間の開始タイミングをカラーバースト信号の期間とした場合、直流レベルの直前の期間でも制御回路による入力信号の追従動作を停止させ、レベル判別基準信号を前述のいずれか一方向に変化させる。
【００２６】
この場合、入力される映像信号にリップル成分（ノイズ）がある場合でもそれに影響されることなくクロックランイン検出開始電圧を好適に設定することできることはもとより、カラーバースト信号とデータの有無を示すパルス信号との間に振幅の相関性があることから、パルス信号（クロックランイン信号）のスライスレベルを予測して設定することができるのでクロックランイン検出開始電圧を最適に設定することができる。
【発明を実施するための最良の形態】
【００２７】
本発明の詳細を図面に従って具体的に説明する。本発明は、映像信号に文字等のデータを重畳するためにクロックランイン信号を使用する様々な方式に利用可能であるが、本実施例においては、テレテキスト方式において前記データを分離する場合について説明する。
【００２８】
図１は本発明の実施例に係るレベル比較器のブロック図を示す。同図に示すように、当該レベル比較器は、タイミング発生回路１０、制御回路２０、Ｄ／Ａコンバータ（変換回路）３０、コンパレータ（比較回路）４０、ＣＰＵ５０、メモリ６０を有している。
【００２９】
図１のＤ／Ａコンバータ３０及びコンパレータ４０は、図２で示したＤ／Ａコンバータ３０及びコンパレータ４０と同等の動作を行う。
【００３０】
すなわち、前記タイミング発生回路１０は、映像信号に含まれる所定の垂直同期信号ＶＳｙｎｃおよび水平同期信号ＨＳｙｎｃから、制御回路２０を動作可能とするためのＤ／Ａ制御許可信号を生成する（“ＬＯＷ”から“ＨＩＧＨ”となる）。Ｄ／Ａ制御許可信号が生成されることによって制御回路２０は動作可能（Ｄ／Ａ制御可能）となる。なおタイミング発生回路１０はタイマー７０を有しており、Ｄ／Ａ制御許可信号が“ＬＯＷ”から“ＨＩＧＨ”となるタイミングは、タイマー７０によって調整される。
【００３１】
前記制御回路２０は、Ｄ／Ａ制御可能である期間（Ｄ／Ａ制御許可信号が“ＨＩＧＨ”）において、コンパレータ４０の出力値（ＣＭＰ出力）のサンプリングを行い、一定の値の差をもって増加または減少するデジタル信号をＤ／Ａコンバータ３０に出力する。このサンプリングの周波数は入力されるクロックの数倍（例えば４倍）となるように設定される。
【００３２】
Ｄ／Ａコンバータ３０を使ったレベル比較器では、Ｄ／Ａコンバータ３０に設定されたデジタル値に応じて、スライスレベルとなるアナログ信号を作成し、作成されたスライスレベルを用いて、送信されてくる映像信号との比較を行う。
【００３３】
ＣＰＵ５０は、メモリ６０に記憶されたプログラムに基づいて動作し、制御回路２０の動作を制御する。従って、図１に示されるレベル比較器の動作は、メモリ６０に記憶されたプログラムによって、決定される。
【００３４】
図１に示される映像信号は、水平同期信号が入力された後、カラーバースト信号が入力される。カラーバースト信号は、ＮＴＳＣなどの映像信号において、水平同期信号のすぐ後に挿入される、カラー再生のための同期信号であり、映像信号から、カラー信号を正しく復調し再現するための位相の基準となる信号である。カラーバースト信号が入力された後、直流レベルが続き、その後クロックランイン信号が入力される。
【００３５】
このクロックランイン信号をスライスするレベルとなるスライスレベルを検出する。
【００３６】
スライスレベルとは、映像信号に対してアナログのコンパレータを使用して、ある基準電圧（スライスレベル）でスライスし、スライスレベル以上の場合は「１」、スライスレベル以下の場合なら「０」と判断する閾値レベルのことをいう。
【００３７】
スライスレベルには、使用される状況において、ペデスタルレベル、ブランキングレベルと呼ばれることがある。ペデスタルレベルは、映像信号において、輝度の基準となるレベルであり、ブランキングレベルは、モニターテレビで走査線が光らない基準レベルである。
【００３８】
図３に示されるように、カラーバースト信号とクロックランイン信号との間の直流レベルの期間において、ノイズなどが混入しない場合には、図２に示す従来のレベル比較を用いても、コンパレータ４０からの出力信号を正常に受信することで、適切なクロックランイン検出電圧を設定することが出来る。
【００３９】
しかし、図４に示されるように、直流レベルの期間において、リップルと呼ばれる小波の様なノイズが混入した場合には、リップル成分をクロックランイン信号として誤認識して、クロックランイン信号を検出するクロックランイン検出電圧（スライスレベル）を適切な値に設定することが出来ず、その後、入力されるクロックランイン信号を正常に検出することができないことが起こりうる。
【００４０】
そこでこの実施例においては、図５に示すように、カラーバースト信号が終了してからクロックランイン信号が入力されるまでの直流レベルの期間（スライスレベルの測定期間）において、スライスレベルを、クロックをカウントすることで判別するものとしている。クロックのカウントには、タイミング発生回路１０に内蔵されたタイマー７０を使用する。タイミング発生回路１０とＣＰＵ５０は、ＣＰＵバスで接続されており、ＣＰＵ５０は、タイマー７０がカウントしたカウント値を読むことが出来る。
【００４１】
タイマー７０は、映像信号に含まれる所定の垂直同期信号ＶＳｙｎｃおよび水平同期信号ＨＳｙｎｃから、制御回路２０を動作可能とするためのＤ／Ａ制御許可信号を生成する。
【００４２】
更にタイマー７０は、Ｄ／Ａ制御許可となっても更にカウントを続け、スライスレベルの測定期間が終了するまでカウントを続け、ＣＰＵ５０にスライスレベルの測定期間を知らせる。
【００４３】
上記スライスレベルの測定期間においては、リップル成分の混入を予測して、クロックランイン検出電圧（スライスレベル電圧）を、リップル成分を無視出来るレベルに設定する必要がある。
【００４４】
コンパレータ４０は入力される映像信号とスライスレベル電圧の比較を行う。
【００４５】
制御回路２０はコンパレータ４０からの出力信号をサンプリングして、サンプリング結果によりスライスレベル電圧が低いと判断した場合には、Ｄ／Ａコンバータ３０に出力するデジタル値を増やし、スライスレベル電圧を上げる処理を行う。
【００４６】
但し、制御回路２０はスライスレベル電圧が高いと判定しても、リップル成分により高いと判定している可能性があるので、Ｄ／Ａコンバータ３０に出力するデジタル値を直ちに下げる処理は行わない。
【００４７】
図７に本願実施例における詳細なタイミング波形を示す。スライスレベルの測定期間において、スライスレベル電圧は、入力信号に追従して変化させない。
【００４８】
仮にスライスレベル電圧が減少したり、増加するのであれば、ノイズの影響により変化していることになる。従って、ノイズの影響を受けない様にするためには、追従する動作を停止させ、一定方向のみに変化させることで、ノイズの影響を受けないスライスレベル電圧に設定することが可能になる。
【００４９】
図７では、スライスレベルの測定期間、ｔ１乃至ｔ１０のタイミングで、入力信号とスライスレベル電圧の比較を行う様子を示している。スライスレベル電圧が入力信号より大きくなっても、スライスレベル電圧を下げる動作は行わず、現状を維持する。
【００５０】
スライスレベル電圧は、一定方向のみに変化させることで、ノイズの上端に出ることが出来る。すなわち、スライスレベル電圧を直流レベルのピーク電圧よりも高く設定することができる。
【００５１】
また、スライスレベルの測定期間であれば、一度、スライスレベルが高いと判断されても、一定時間後に、同じスライスレベル電圧にて、映像信号と比較を行う。
【００５２】
少なくとも一度以上、スライスレベル電圧の方が高いと判断された場合には、スライスレベル電圧は適切な値に設定されたとする。その後、スライスレベル電圧の変更は行わず、クロックランイン信号を検出するクロックランイン検出電圧とする。
【００５３】
上記の一連の動作により、ノイズが混入した場合でも、ノイズの影響をオフセット可能なノイズの上端、すなわち直流レベルのピーク電圧よりも高くなるようにスライスレベル電圧を最適に設定することが出来る。
【００５４】
また、クロックランイン信号がスライスレベルより高いレベルにある場合、初期値となるスライスレベルは図５の（ａ）の様に、十分低い値とする。本実施例では、スライスレベルの測定期間においては、スライスレベルを下げる処理は行われないので、前記スライスレベルの初期値が高い場合には、正しいクロックランイン検出電圧に設定することは出来ない。
【００５５】
この一連の動作により、リップル成分が混入した場合でも、影響を受けることなく、クロックランイン検出電圧（スライスレベル電圧）を決定することが出来る。
【００５６】
スライスレベルの測定期間であれば、一度、正しいと設定されても、一定時間後に、同じスライスレベル電圧にて、映像信号と比較を行い、低いと判断された場合には、再度、スライスレベル電圧を上昇させることが望ましい。
【００５７】
本実施例では、クロックランイン信号がスライスレベルより高いレベルにある場合であったが、逆に、クロックランイン信号がスライスレベルより低いレベルにある場合は、初期値となるスライスレベルは十分高い値とし、スライスレベルを上げる処理は行わない。
【００５８】
図６は、図１のレベル比較器の動作を示すフローチャートである。このフローチャートは、メモリ６０に記憶されたプログラムに従って動作する場合の流れを示している。
【００５９】
ＣＰＵ５０は、映像信号に含まれる所定の垂直同期信号ＶＳｙｎｃおよび水平同期信号ＨＳｙｎｃから、Ｄ／Ａコンバータ３０を制御可能とするＤ／Ａ制御信号を生成し、Ｄ／Ａ制御信号が、“ＬＯＷ”から“ＨＩＧＨ”となると、制御回路２０から出力されるデジタル値に応じて、Ｄ／Ａコンバータ３０は、デジタル値をアナログ変換した値を出力する（スタート）。
【００６０】
コンパレータ４０は、ステップ１００（Ｓ１００）で、Ｄ／Ａコンバータ３０から出力されるスライスレベル電圧と、映像信号の比較（ＣＭＰ）を行い、映像信号の方が大きければ「１」を出力し、逆に、映像信号の方が小さければ「０」を出力する。
【００６１】
映像信号の方が大きい場合（Ｓ１００：ＹＥＳ）には、ステップ２００（Ｓ２００）でカウンタのカウント値を１アップさせる。
【００６２】
そしてステップ３００（Ｓ３００）でカウンタのカウント値を、５以上か、５よりも小さいか判別する。５以上か、５よりも小さいか判別する理由は、本実施例では、５回処理が終了すると、スライスレベルの測定期間から外れるためである。
【００６３】
ステップ３００（Ｓ３００）でカウント値が５より小さい場合（Ｓ３００：ＮＯ）には、ステップ４００（Ｓ４００）でＤ／Ａコンバータ３０に出力されるデジタル値を１電圧幅アップする。
【００６４】
ステップ１００（Ｓ１００）で映像信号の方が小さい場合（Ｓ１００：ＮＯ）には、ステップ５００（Ｓ５００）でＤ／Ａコンバータ３０に出力されるデジタル値を変化させず、固定する。
【００６５】
ステップ３００（Ｓ３００）でカウント値が５以上になった場合（Ｓ３００：ＹＥＳ）、ステップ６００（Ｓ６００）でＤ／Ａコンバータ３０に出力されるデジタル値によって作成されるスライスレベル電圧を、クロックランイン電圧として使用する。
【００６６】
ステップ４００（Ｓ４００）及びステップ５００（Ｓ５００）の処理を終了し、カウンタにより、クロックをカウントすることで、ステップ７００（Ｓ７００）で一定の期間待ち時間を生成し、ステップ１００（Ｓ１００）の状態に戻る。
【００６７】
このようなステップ１００（Ｓ１００）乃至ステップ７００（Ｓ７００）の処理を行うにより、スライスレベル電圧を最適なクロックランイン検出電圧に設定することが可能となる。
【００６８】
以上の実施例では、レベル判別基準信号のスライスレベル電圧を低いレベルから高いレベルへ変化させて直流レベルのピーク電圧より高く設定した場合を示したが、図８に示すように、高いレベルから低いレベルへ変化させて直流レベルのピーク電圧より高く設定するようにしても良い。この場合、同図に示すように、タイミングｔ１とｔ２の間で一旦スライスレベル電圧が直流レベルのピーク電圧よりも低い電圧となり、その後ピーク電圧よりも高く電圧となる。その後、スライスレベル電圧は、ピーク電圧よりも高いレベルを維持してスライスレベル電圧を下げる動作を行わずに現状を維持するものとしている。この一連の動作によっても、前記実施例と同様にスライスレベル電圧を最適なクロックランイン検出電圧に設定することが可能となる。
【００６９】
また、上記両実施例においては、スライスレベルの測定期間の開始タイミングをカラーバースト信号とクロックランイン信号との間の直流レベルに設定したが、前記カラーバースト信号の入力期間内にスライスレベルの測定開始タイミングを設定するものとしても良い。これは直流分に含まれることがあるリップルの影響を避けると共に、カラーバースト信号とクロックランイン信号とに振幅に相関性があることを利用してクロックランイン信号のスライスレベルを予測し設定しようとするものである。
【００７０】
図９および図１０に、前記カラーバースト信号の入力期間内にスライスレベルの測定期間の開始タイミングを設定した場合におけるタイミング波形を示す。
【００７１】
図９は、スライスレベル電圧を低いレベルから高いレベルへ変化させて直流レベルのピーク電圧より高く設定した場合を示す。スライスレベルの測定期間においてカラーバースト信号の入力期間内にスライスレベルの測定開始タイミングを設定して、ｔ１乃至ｔ６のタイミングで、入力信号とスライスレベル電圧の比較を行う様子を示している。ここでも前記実施例と同様にスライスレベル電圧が入力信号より大きくなっても、スライスレベル電圧を下げる動作は行わず、現状を維持することによって、直流レベルのピーク電圧より高く設定している。
【００７２】
この一連の動作により、リップル成分が混入した場合でも、その影響を全く受けることなく、クロックランイン検出電圧（スライスレベル電圧）を決定することが出来る。他の動作は前記実施例と同様であるのでその説明を省略する。
【００７３】
図１０は、スライスレベル電圧を高いレベルから低いレベルへ変化させて、最終的には図９の場合と同様に、直流レベルのピーク電圧より高く設定した場合を示す。スライスレベルの測定期間においてカラーバースト信号の入力期間内にスライスレベルの測定開始タイミングを設定して、ｔ１乃至ｔ６のタイミングで、入力信号とスライスレベル電圧の比較を行う様子を示している。この実施例においては、一旦スライスレベル電圧がカラーバースト信号の電圧よりも低い電圧となるが、その後は図９の実施例の場合と同様に、スライスレベル電圧が入力信号より大きくなっても、スライスレベル電圧を下げる動作は行わず、現状を維持することによって、直流レベルのピーク電圧より高く設定している。
【００７４】
この実施例においても、一連の動作により、リップル成分が混入した場合でも、その影響を全く受けることなく、クロックランイン検出電圧（スライスレベル電圧）を決定することが出来る。他の動作は前記実施例と同様であるのでその説明を省略する。
【００７５】
以上、本発明を上記実施例に基づいて具体的に説明したが、本発明はこれら実施例に限定されるものではなく、その要旨を逸脱しない範囲で種々変更可能である。
【図面の簡単な説明】
【００７６】
【図１】本発明の実施例に係るレベル比較器のブロック図である。
【図２】従来のレベル比較器のブロック図である。
【図３】クロックランイン検出電圧にリップル成分が無い場合の波形図である。
【図４】クロックランイン検出電圧にリップル成分が有る場合の波形図である
【図５】本発明の実施例に係る、レベル判別基準信号を低いレベルから高いレベルへ変化させる場合におけるクロックランイン検出電圧の設定方法の波形図である。
【図６】本発明の実施例に係るレベル比較器の動作を示すフローチャートである。
【図７】本発明の実施例において入力信号とスライスレベル電圧の比較を行うようすを示すタイミング波形図である。
【図８】本発明の他の実施例に係る、レベル判別基準信号を高いレベルから低いレベルへ変化させる場合におけるクロックランイン検出電圧の設定方法の波形図である。
【図９】本発明の更に他の実施例に係る、レベル判別基準信号を低いレベルから高いレベルへ変化させる場合におけるクロックランイン検出電圧の設定方法の波形図である。
【図１０】本発明の更に他の実施例に係る、レベル判別基準信号を高いレベルから低いレベルへ変化させる場合におけるクロックランイン検出電圧の設定方法の波形図である。
【符号の説明】
【００７７】
１０  タイミング発生回路
２０  制御回路
３０  Ｄ／Ａコンバータ
４０  コンパレータ
５０  ＣＰＵ
６０  メモリ
【図１】
2005278166.tif 000003
【図２】
2005278166.tif 000004
【図３】
2005278166.tif 000005
【図４】
2005278166.tif 000006
【図５】
2005278166.tif 000007
【図６】
2005278166.tif 000008
【図７】
2005278166.tif 000009
【図８】
2005278166.tif 000010
【図９】
2005278166.tif 000011
【図１０】
2005278166.tif 000012